(57)【要約】【課題】表示パネルの前側から交換容易化を図る。【解決手段】表示パネル３が前側に突出する弧状となるように湾曲したままパネル保持枠２前側から開口部７に挿入され、表示パネル３の周縁部が裏打パネル４の前面を案内面としてパネル装着溝２２に嵌め込まれた後、表示パネル３を湾曲にしていた力が表示パネル３から解除されると、表示パネル３が自身の弾性で元の板状の形に戻り、表示パネル３がパネル保持枠２に取り付けられ、表示パネル３がパネル保持枠２に取り付けられた状態において、人が手をパネル保持枠２の前側から開口部７に入れて表示パネル３の前面に接触したまま表示パネル３の周縁部をパネル装着溝２２から抜く方向にたぐり寄せると、表示パネル３が前側に突出する弧状となり、表示パネル３の周縁部がパネル装着溝２２から引き抜かれ、表示パネル３がパネル保持枠２から前側に取り外せる。【選択図】図１
2006081658.tif 000002
【特許請求の範囲】
【請求項１】
機構筐体の前面における操作台と受皿との間に設けられる遊技機の前面表示装置において、パネル保持枠と裏打パネルと表示パネルとを備え、パネル保持枠が前壁に前後方向に貫通する開口部を備え、裏打パネルが光を透過する性質の有る合成樹脂により開口部より大形に形成された板状であって、裏打パネルが開口部を塞いでパネル保持枠の裏面に取り付けられることによって、開口部の周縁の裏面と裏打パネルの前面との間に表示パネルの周縁部を嵌め込むためのパネル装着溝が形成され、表示パネルは光を透過する性質の有る合成樹脂により開口部より大形に形成された板状の人が手で表示パネルを全体的に湾曲することが可能でかつその湾曲にした力を表示パネルから解除することで表示パネルが自分の弾性で元の板状の形に戻る性質を発揮するしなやかさと弾性とを有する構成であり、表示パネルが全体的に前側に突出する弧状となるように湾曲した状態でパネル保持枠の前側から開口部に挿入され、表示パネルの周縁部がパネル装着溝に嵌め込まれ、上記表示パネルを全体的に前側に突出する弧状となるように湾曲する力が表示パネルから解除されることによって、周縁部がパネル装着溝に嵌め込まれた表示パネルが元の板状の形に戻り、表示パネルがパネル保持枠に取り付けられたことを特徴とする遊技機の前面表示装置。
【請求項２】
パネル装着溝が、開口部の内周面と後端面とからパネル保持枠の内部に窪む形状の段差部と、開口部を塞いでパネル保持枠の裏面に取り付けられた裏打パネルの前面とによって、形成されたことを特徴とする請求項１記載の遊技機の前面表示装置。
【請求項３】
表示パネルがパネル保持枠に取り付けられた場合、表示パネルの裏面と裏打パネルの前面とが互いに接触して重なり合わされたことを特徴とする請求項１記載の遊技機の前面表示装置。
【発明の詳細な説明】
【技術分野】
【０００１】
本発明は、スロットマシンなどの遊技機に用いられ、表示パネルが遊技者の操作側から交換容易な遊技機の前面表示装置に関する。
【背景技術】
【０００２】
図６は、スロットマシンを前側から示す。図６において、スロットマシンは、前側にだけ開口した四角な箱形の機構筐体３５の側壁に取手部３６を備え、機構筐体３５の前面に設けられる前面枠を上前面枠３７と下前面枠３８とに分割し、上前面枠３７を図柄表示装置３９の前側に図外のヒンジで前側横方向に開閉可能に取り付けてユニット構成し、このユニット構成された図柄表示装置３９が機構筐体３５に前側から機構筐体３５の内部の上部に収納されるに伴い、上前面枠３７が機構筐体３５の前面における開口の上部を塞いで機構筐体３５に図外のロック機構で固定される。上前面枠３７には、演出表示部４０、図柄表示部４１、情報表示部４２が、上から下に順に設けられる。演出表示部４０は、遊技の状況を遊技者に知らせる情報を電気的に表示する。図柄表示部４１は、図柄表示装置３９の図柄を遊技者に見せる光を透過する性質の有る合成樹脂により形成される。情報表示部４２は、遊技者に知らせるために、掛数、メダルの予納枚数、当たりの結果の賞として払い出されたメダル数などの情報を電気的に表示する。下前面枠３８が操作台４４と前面表示装置１および受皿４５を上から下に順に備え、受皿４５の左側に灰皿４６を備える。操作台４４の上面には、掛数操作部４７、掛数解除操作部４８、最大掛数操作部４９、メダル投入部５０が左から右に順に設けられ、操作台４４の前面には遊技開始操作部５１、３個の図柄停止操作部５２、返却操作部５３、開閉錠５４を左から右に順に設けられる。前面表示装置１は、下前面枠３８に取り付けられたパネル保持枠２と、パネル保持枠２に取り付けられた表示パネル３３とを備える。下前面枠３８における前面表示装置１の取り付けられる部分には、表示パネル３３の裏側から表示パネル３３を照明するための図外の蛍光灯を有する照明装置が設けられる。受皿４５は、当たりの結果の賞として受口から払い出された遊技媒体としてのメダルを受けるものである。図７は、前面表示装置１におけるパネル保持枠２と表示パネル３３とを分解して裏側から示す。パネル保持枠２は、光を遮断する性質の有る合成樹脂により、方形板状の前壁６に前後方向に貫通する方形な開口部７を備え、開口部７の周縁からリム８を前壁６の裏側の方向に備え、前壁６の周縁から上下壁１０；１１と左右壁１２；１３とを前壁６の裏側の方向に延設し、下壁１１に複数の下係合部１４を備えた、一体の形状に形成される。下係合部１４は、下壁１１の後縁から直線的に延びた横片１７と、横片１７の後端部から下方に突出したフック１８とを備える。前壁６の裏面には、開口部７の左右両側に位置する横押さえ部材１９と、開口部７の下側に位置する複数の下押さえ部材２０とが取り付けられ、リム８の後端面１６と横押さえ部材１９の前面と下押さえ部材２０の前面との間にパネル装着溝３４が形成される。横押さえ部材１９の上部裏面には、上係合部材２３が個別に取り付けられる。上係合部材２３は、横押さえ部材１９から裏側に直線的に延びる横片２４と、横片１７の後端部から相対峙する方向の内側に突出したフック２５とを備える。上係合部材２３および下係合部１４は、図６の下前面枠３８に係合することによって、パネル保持枠２を下前面枠３８に取り付けるためのものである。表示パネル３３は、光を透過する性質の有る無色な合成樹脂からなる方形板状の裏面に、遊技者に知らせるために、スロットマシンの種類を表わす図柄やスロットマシンの製造者名を印刷で形成し、証紙表示領域２７を上記図柄や製造者名を形成する印刷が抜かれた印刷抜きの形態で形成される。証紙表示領域２７には、スロットマシンの販売の許可されたことを示す証紙２８の表面が表示パネル３３の前側から見えるように、証紙２８が表示パネル３３における証紙表示領域２７に表示パネル３３の裏面から貼付される。図８は、パネル保持枠２と表示パネル３３との組み立てられた前面表示装置１を縦方向に切断した断面を示す。表示パネル３３は、人が手で表示パネル３３を全体的に湾曲することが不可能な性質を有し、その性質を発揮させるために、表示パネル３３の厚さが３乃至５ｍｍの範囲と厚く、パネル保持枠２におけるリム８と横押さえ部材１９と下押さえ部材２０からなるパネル装着溝３４に挿入され、開口部７を塞ぎ、パネル保持枠２の裏面に取り付ける構造である。このため、スロットマシンの機種が変わり、表示パネル３３を交換する場合、下前面枠３８に照明装置が設けられていることから、パネル保持枠２を下前面枠３８から取り外した後、表示パネル３３をパネル装着溝３４から取り外し、新しい機種に適合する表示パネル３３をパネル装着溝３４に嵌め込んでパネル保持枠２の裏面に取り付けた後、パネル保持枠２を機構筐体３５の前面における下前面枠３８に装着しなければならず、表示パネル３３の交換が面倒であるという欠点があった。
【特許文献１】特開２００３−２７５３７２号公報
【発明の開示】
【発明が解決しようとする課題】
【０００３】
発明が解決しようとする問題点は、表示パネルの交換が面倒であるという点である。
【課題を解決するための手段】
【０００４】
本発明は、機構筐体の前面における操作台と受皿との間に設けられる遊技機の前面表示装置において、パネル保持枠と裏打パネルと表示パネルとを備え、パネル保持枠が前壁に前後方向に貫通する開口部を備え、裏打パネルが光を透過する性質の有る合成樹脂により開口部より大形に形成された板状であって、裏打パネルが開口部を塞いでパネル保持枠の裏面に取り付けられることによって、開口部の周縁の裏面と裏打パネルの前面との間に表示パネルの周縁部を嵌め込むためのパネル装着溝が形成され、表示パネルは光を透過する性質の有る合成樹脂により開口部より大形に形成された板状の人が手で表示パネルを全体的に湾曲することが可能でかつその湾曲にした力を表示パネルから解除することで表示パネルが自分の弾性で元の板状の形に戻る性質を発揮するしなやかさと弾性とを有する構成であり、表示パネルが全体的に前側に突出する弧状となるように湾曲した状態でパネル保持枠の前側から開口部に挿入され、表示パネルの周縁部がパネル装着溝に嵌め込まれ、上記表示パネルを全体的に前側に突出する弧状となるように湾曲する力が表示パネルから解除されることによって、周縁部がパネル装着溝に嵌め込まれた表示パネルが元の板状の形に戻り、表示パネルがパネル保持枠に取り付けられたことを最も主要な特徴とする。本発明に係る遊技機の前面表示装置では、パネル装着溝が、開口部の内周面と後端面とからパネル保持枠の内部に窪む形状の段差部と、開口部を塞いでパネル保持枠の裏面に取り付けられた裏打パネルの前面とによって、形成されてもよく、または、表示パネルがパネル保持枠に取り付けられた場合、表示パネルの裏面と裏打パネルの前面とが互いに接触して重なり合わされてもよい。
【発明の効果】
【０００５】
本発明によれば、前面表示装置を機構筐体の前面に取り付けたまま、表示パネルを、パネル保持枠に取り付けたり、パネル保持枠から取り外したりすることができるので、表示パネルを容易に交換することができるという利点がある。また、パネル装着溝が、開口部の内周面と後端面とからパネル保持枠の内部に窪む形状の段差部と、開口部を塞いでパネル保持枠の裏面に取り付けられた裏打パネルの前面とによって、形成されれば、裏打パネルとして周縁部に窪み存在しない板状のものを使用することができるという利点がある。さらに、表示パネルがパネル保持枠に取り付けられた場合、表示パネルの裏面と裏打パネルの前面とが互いに接触して重なり合わされれば、照明装置で裏打パネルの裏側から表示パネルを照明した場合、照明装置から裏打パネルを透過した照明光が表示パネルを適切に照明することができるという利点がある。
【発明を実施するための最良の形態】
【０００６】
図１および図２は、発明を実施するための最良の形態である。図１は、遊技機の一種であるスロットマシンに適用した表示パネル３のパネル保持枠２への取り付け方を説明するための前面表示装置１を縦方向に切断した断面図を示す。図２は、前面表示装置１におけるパネル保持枠２と表示パネル３と裏打パネル４とを分解して裏側から示す斜視図である。この明細書において、「前」、「後」、「裏」、「左」、「右」、「上」、「下」の方向は、図４または図６の状態に前面表示装置１および機構筐体３５を置いて遊技者の操作側Ａから遊技者が見た場合に特定される方向である。遊技機が設置されている状態で遊技者の操作側Ａと対向する側を「前」、その反対側を「後」、遊技者の操作側Ａから向かって右側を「右」、左側を「左」、上方を「上」、下方を「下」と定義している。「後」と「裏」とは同じ方向である。
【０００７】
図２を参照し、前面表示装置１の構成について説明する。パネル保持枠２は、光を遮断する性質の有る合成樹脂により、方形板状の前壁６に前後方向に貫通する方形な開口部７を備え、開口部７の周縁部を形成するリム８を前壁６の裏側の方向に備え、リム８の後端部に段差部９を備え、前壁６の周縁から上壁１０、下壁１１、左壁１２、右壁１３をそれぞれ前壁６の裏側の方向に延設し、下壁１１に複数の下係合部１４を備えた、一体の形状に形成される。段差部９は、リム８のおける開口部７の内周面としての内周面１５とリム８における開口部７の後端面１６とからパネル保持枠２の内部に窪む形状であって、リム８の後端面１６における段差部９の外形は、リム８の内周面１５が囲む開口部７の口径よりも大きい方形である。下係合部１４は、下壁１１の後縁１１ｂから直線的に延びた横片１７と、横片１７の後端部から下方に突出したフック１８とを備える。
【０００８】
前壁６の裏面６ｂには、開口部７の左右両側に位置する横押さえ部材１９と、開口部７の下側に位置する複数の下押さえ部材２０とが取り付けられ、リム８の後端面１６と横押さえ部材１９の前面１９ａと下押さえ部材２０の前面２０ａとの間に裏打装着溝２１が形成され、裏打装着溝２１に裏打パネル４が嵌め込まれると、裏打パネル４の前面４ａと段差部９とが図１の（ａ）図に示すパネル装着溝２２を形成する。横押さえ部材１９の裏面１９ｂの上部には、上係合部材２３がその前端部に設けられた取付片２６により個別に取り付けられる。上係合部材２３は、横押さえ部材１９からパネル保持枠２の裏側に直線的に延びる横片２４と、横片２４の後端部から相対峙する方向の内側に突出したフック２５とを備える。上係合部材２３および下係合部１４は、図６の下前面枠３８に係合することによって、パネル保持枠２を下前面枠３８に取り付けるためのものである。
【０００９】
表示パネル３は、図２に示すように、例えば、アクリル合成樹脂のような、光を透過する性質の有る無色な合成樹脂により開口部７より大形な方形板状に形成された部材の裏面１３ｂに、遊技者に知らせるために、スロットマシンの種類を表わす図柄やスロットマシンの製造者名を印刷したパターン領域３ｃを図２に示すように表示パネル３の裏面３ｂの二点鎖線２９で囲まれた領域に形成する。さらに、このパターン領域３ｃには、証紙表示領域２７が上記図柄や製造者名を形成する印刷を抜いた印刷抜きの形態で形成される。表示パネル３の外形は、リム８の後端面１６における段差部９の外形より小さい。証紙表示領域２７には、スロットマシンの販売の許可されたことを示す証紙２８の表面が表示パネル３の前面３ａから見えるように、証紙２８が表示パネル３における証紙表示領域２７に表示パネル３の裏面３ｂの側から貼付される。表示パネル３は、人が手で表示パネル３を全体的に前側に突出する弧状となるように湾曲することが可能で、しかも、その湾曲にした力を表示パネル３から解除することで、表示パネル３が自分の弾性で元の平らな方形板状の形に戻る性質を発揮するしなやかさと弾性とを有し、そのような性質を発揮させるために、表示パネル３の厚さは、０．３乃至１．５ｍｍの範囲に定められている。表示パネル３は、開口部７における段差部９とリム８の内周面１５とが交差する部分２９の周縁に環状の嵌め込みしろ３０を備えた方形板状である。嵌め込みしろ３０の幅は１乃至２ｍｍの範囲である。裏打パネル４は、アクリル合成樹脂のような、光を透過する性質の有る無色または白色の合成樹脂により開口部７より大形に形成された方形板状であって、表示パネル３よりも大きな相似形の方形板状である。裏打パネル４は、人が通常の力では手で裏打パネル４を全体的に湾曲することが不可能な性質を有し、その性質を発揮させるために、裏打パネル４の厚さは、３乃至５ｍｍの範囲に定められている。
【００１０】
図１を参照し、表示パネル３のパネル保持枠２への取り付け方を説明する。図１の（ａ）図において、裏打パネル４はパネル保持枠２におけるリム８と横押さえ部材１９と下押さえ部材２０からなる裏打装着溝２１に挿入されることにより、パネル保持枠２にその裏面側から取り付けられる。その結果、リム８と横押さえ部材１９と下押さえ部材２０が裏打パネル４の周縁部をパネル保持枠２の前壁６との間で前後方向に挟んだ格好で支持することによって、パネル保持枠２の開口部７を塞ぎ、パネル装着溝２２が裏打パネル４の前面４ａとパネル保持枠２の段差部９とで形成される。この状態において、表示パネル３がパネル保持枠２の前側（遊技者の操作側Ａ）からパネル装着溝２２に嵌め込まれる。具体的には、図１の（ａ）図に示すように、表示パネル３の前面３ａが前側に向けられ、人が表示パネル３を全体的に前側に突出する弧状となるように湾曲したまま開口部７に前側から挿入し、表示パネル３の周縁部である嵌め込みしろ３０を裏打パネル４の前面４ａを案内面としてパネル装着溝２２に嵌め込む。表示パネル３の嵌め込みしろ３０がパネル装着溝２２に嵌め込まれたら、人が表示パネル３から手を離す。これによって、図１の（ｂ）図に示すように、表示パネル３が自身の弾性で平坦な元の方形板状の形に戻り、表示パネル３が裏打パネル４で後側から支持されてパネル保持枠２に取り付けられる。
【００１１】
図１の（ｂ）図に示すように、表示パネル３がパネル保持枠２に取り付けられた場合、裏打パネル４で後側から支持されているので、表示パネル３は凸凹な形状とならず表示形態を適切に維持することができるという利点がある。また、表示パネル３がパネル保持枠２に取り付けられた場合、表示パネル３の裏面と裏打パネル４の前面４ａとが互いに全面的に接触して重なり合わされているので、照明装置で裏打パネル４の裏側から表示パネル３を照明した場合、照明装置から裏打パネル４を透過した照明光が表示パネル３を適切に照明することができるという利点がある。
【００１２】
図１の（ｂ）図に示すように、表示パネル３がパネル保持枠２に取り付けられた状態において、表示パネル３をパネル保持枠２から取り外すには、人が手をパネル保持枠２の前側から開口部７に入れて嵌め込みしろ３０の周囲における表示パネル３の前面に接触したまま嵌め込みしろ３０をパネル装着溝２２から抜く方向にたぐり寄せる。すると、表示パネル３が全体的に前側に突出する弧状となり、表示パネル３の裏面３ｂが裏打パネル４の前面４ａから離れ、嵌め込みしろ３０がパネル装着溝２２から引き抜かれることにより、表示パネル３がパネル保持枠２から前側に容易に取り外すことができる。その後、前述した取り付け方法により、新しい表示パネル３を図１の（ａ）図に示す形態から図１の（ｂ）図に示す形態に取り付けることができる。
【００１３】
要するに、最良の形態によれば、前面表示装置１が機構筐体３５の前面に設けた下前面枠３８に取り付けられたまま、パネル保持枠２の前側において、表示パネル３を、パネル保持枠２に取り付けたり、パネル保持枠２から取り外したりすることができる。よって、表示パネル３を容易に交換することができるという利点がある。また、パネル装着溝２２が、開口部７の内周面１５と後端面１６とからパネル保持枠２の内部に窪む形状の段差部９と、開口部７を塞いでパネル保持枠２の裏面に取り付けられた裏打パネル４の前面４ａとによって、形成されているので、裏打パネル４として周縁部に窪みの存在しない板状のものを使用することができるという利点がある。
【００１４】
図３は、表示パネル３の異なる形態を示す。図３において、表示パネル３は、開口部７における段差部９とリム８の内周面１５とが交差する部分２９の上下縁に帯状の嵌め込みしろ３１を備え、上記部分２９の左右縁に部分２９の左右縁よりも上下寸法の小さな嵌め込みしろ３２を備える。そして、表示パネル３をパネル保持枠２に装着する場合、表示パネル３を全体的に前側に突出する弧状となるように湾曲したまま開口部７に前側から挿入し、表示パネル３における上下の嵌め込みしろ３１を裏打パネル４の前面４ａを案内面として上下のパネル装着溝２２に嵌め込む一方、表示パネル３における左右の嵌め込みしろ３２を裏打パネル４の前面４ａを案内面として左右のパネル装着溝２２に嵌め込む。このように、左右の嵌め込みしろ３２の上下寸法が左右縁に部分２９の左右縁上下寸法よりも小さくなっているので、上下の嵌め込みしろ３１が上下のパネル装着溝２２に嵌め込まれた後、左右の嵌め込みしろ３２を左右のパネル装着溝２２を嵌め込むことによって、表示パネル３をパネル装着溝２２に一層容易に装着することができるという利点がある。
【産業上の利用可能性】
【００１５】
図２に示す表示パネル３における嵌め込みしろ３０の四隅を点線Ｌで示すように斜めに切除して、表示パネル３をパネル装着溝２２に装着しやすいようにしてもよい。図３において、上下の嵌め込みしろ３１の左右寸法を前記部分２９の左右縁の左右寸法よりも小さくし、左右の嵌め込みしろ３２を前記部分２９の左右縁と同じ上下寸法の帯状に形成してもよい。また、上下の嵌め込みしろ３１の左右寸法を前記部分２９の左右縁の左右寸法よりも小さくし、左右の嵌め込みしろ３２を前記部分２９の左右縁の上下寸法よりも小さくするというように、上下の嵌め込みしろ３１と左右の嵌め込みしろ３２と前記部分２９よりも小さくしてもよい。
【００１６】
図６に示す上前面枠３７と下前面枠３８とを一体に形成してもよい。つまり、図４に示すように、機構筐体３５の前面側に一体の前面枠５７を図５に示すようなヒンジ５８で前側横方向に片開き可能に設ける。前面枠５７には、演出表示部４０、図柄表示部４１、情報表示部４２、操作台４４、前面表示装置１、受皿４５が、上から下に順に設けられる。操作台４４には、掛数操作部４７、掛数解除操作部４８、最大掛数操作部４９、メダル投入部５０、遊技開始操作部５１、３個の図柄停止操作部５２、返却操作部５３、開閉錠５４が設けられる。受皿４５の左側には灰皿４６を備える。図５に示すように、前面枠５７が前側に開放された機構筐体３５の内部空間の上部には、図柄表示装置３９が設けられ、機構筐体３５の内部空間の下部には、電源装置５９、当たりの結果の賞として払い出すメダルを貯蔵するホッパー６０、ホッパー６０から溢れたメダルを入れる予備箱６１を備える。ホッパー６０は、メダルを払い出すための図外の払出機構を内蔵する。払出機構により払い出されたメダルは、ホッパー６０に形成された払出口６２から前面枠５７の裏面に開放された受口５５を経由して受皿４５に払い出される。つまり、前面枠５７は、図６に示す上前面枠３７と下前面枠３８とを一体に形成した前面枠に相当し、図柄表示装置３９が前面枠５７から分離された形態である。
【図面の簡単な説明】
【００１７】
【図１】（ａ）図は表示パネルをパネル保持枠に取り付ける前の時点における前面表示装置を示す縦断面図、（ｂ）図は表示パネルをパネル保持枠に取り付けた後の時点における前面表示装置を示す縦断面図（最良の形態）。
【図２】前面表示装置を裏側から示す分解斜視図（最良の形態）。
【図３】前面表示装置を裏側から示す分解斜視図（異なる形態）。
【図４】一体の前面枠の閉じられたスロットマシンを前側から示す斜視図（異なる形態）。
【図５】一体の前面枠の開放されたスロットマシンを前側から示す斜視図（異なる形態）。
【図６】上前面枠および下前面枠の閉じられたスロットマシンを前側から示す斜視図（従来）。
【図７】前面表示装置を裏側から示す分解斜視図（従来）。
【図８】表示パネルをパネル保持枠に取り付けた後の時点における前面表示装置を示す縦断面図（従来）。
【符号の説明】
【００１８】
１    前面表示装置
２    パネル保持枠
３    表示パネル
４    裏打パネル
６    前壁
７    開口部
９    段差部
２２  パネル装着溝
３５  機構筐体
４４  操作台
４５  受皿
【図１】
2006081658.tif 000003
【図２】
2006081658.tif 000004
【図３】
2006081658.tif 000005
【図４】
2006081658.tif 000006
【図５】
2006081658.tif 000007
【図６】
2006081658.tif 000008
【図７】
2006081658.tif 000009
【図８】
2006081658.tif 000010